【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
直交周波数多重アクセス（ＯＦＤＭＡ）を少なくともダウンリンクにおいて用いる無線システムのための方法であって、
加入者装置が、基地局から受信した第１のパイロット記号に基づいて、複数のＯＦＤＭＡサブキャリアに関連する第１のチャネル及び干渉情報を測定する第１の段階と、
前記加入者装置が、各々が前記複数のＯＦＤＭＡサブキャリアのうち少なくとも２つを含む複数のクラスタに関する第１のフィードバック情報を前記基地局に提供する第２の段階と、
前記加入者装置が、前記基地局から該加入者装置が使用するための複数のＯＦＤＭＡサブキャリアに関する第１の割り当て情報を受信する第３の段階と、
前記加入者装置が、前記基地局から受信した第２のパイロット記号に基づいて、前記複数のＯＦＤＭＡサブキャリアに関連する第２のチャネル及び干渉情報を測定する第４の段階と、
前記加入者装置が、前記複数のクラスタに関する第２のフィードバック情報を前記基地局に提供する第５の段階と、
前記加入者装置が、前記基地局から該加入者装置が使用するための複数のＯＦＤＭＡサブキャリアに関する第２の割り当て情報を受信する第６の段階と、を含み、
前記第１のフィードバック情報は、前記複数のクラスタのそれぞれについての変調方式と符号化速度に関係するインデクスを含み、
前記第２のフィードバック情報は、前記複数のクラスタのそれぞれについての変調方式と符号化速度に関係するインデクスを含むことを特徴とする方法。
【請求項２】
前記第１及び第２のフィードバック情報は、いずれもソース符号化技法を使って圧縮され、エラー修正でエンコードされることを特徴とする請求項１記載の方法。
【請求項３】
前記パイロット記号はＯＦＤＭ周波数帯域全体をカバーしていることを特徴とする請求項１又は２記載の方法。
【請求項４】
前記第１の割り当て情報は、前記第１のフィードバック情報が提供された少なくとも１つのクラスタから前記複数のＯＦＤＭＡサブキャリアが選択されることを示すものであることを特徴とする請求項１から３までのいずれか一項に記載の方法。
【請求項５】
前記第２の割り当て情報は、前記第２のフィードバック情報が提供された少なくとも１つのクラスタから前記複数のＯＦＤＭＡサブキャリアが選択されることを示すものであることを特徴とする請求項１から４までのいずれか一項に記載の方法。
【請求項６】
前記複数のＯＦＤＭＡサブキャリアは、他のクラスタに対して相対的に性能が良好な少なくとも１つのクラスタから選択されることを特徴とすることを特徴とする請求項１から５までのいずれか一項に記載の方法。
【請求項７】
前記第４の段階は前記基地局の要求に基づき該基地局が開始するものであることを特徴とする請求項１から６までのいずれか一項に記載の方法。
【請求項８】
前記第４の段階は再教育の一部として前記基地局が開始するものであることを特徴とする請求項１から７までのいずれか一項に記載の方法。
【請求項９】
直交周波数多重アクセス（ＯＦＤＭＡ）を少なくともダウンリンクにおいて用いる無線システムのための加入者装置であって、該加入者装置は、
第１の段階において、基地局から受信した第１のパイロット記号に基づいて、複数のＯＦＤＭＡサブキャリアに関連する第１のチャネル及び干渉情報を測定し、
第２の段階において、各々が前記複数のＯＦＤＭＡサブキャリアのうち少なくとも２つを含む複数のクラスタに関する第１のフィードバック情報を前記基地局に提供し、
第３の段階において、前記基地局から該加入者装置が使用するための複数のＯＦＤＭＡサブキャリアに関する第１の割り当て情報を受信し、
第４の段階において、前記基地局から受信した第２のパイロット記号に基づいて、前記複数のＯＦＤＭＡサブキャリアに関連する第２のチャネル及び干渉情報を測定し、
第５の段階において、前記複数のクラスタに関する第２のフィードバック情報を前記基地局に提供し、そして
第６の段階において、前記基地局から該加入者装置が使用するための複数のＯＦＤＭＡサブキャリアに関する第２の割り当て情報を受信する、処理装置を備え、
前記第１のフィードバック情報は、前記複数のクラスタのそれぞれについての変調方式と符号化速度に関係するインデクスを含み、
前記第２のフィードバック情報は、前記複数のクラスタのそれぞれについての変調方式と符号化速度に関係するインデクスを含むことを特徴とする加入者装置。
【請求項１０】
前記第１及び第２のフィードバック情報は、いずれもソース符号化技法を使って圧縮され、エラー修正でエンコードされることを特徴とする請求項９記載の加入者装置。
【請求項１１】
前記パイロット記号はＯＦＤＭ周波数帯域全体をカバーしていることを特徴とする請求項９又は１０記載の加入者装置。
【請求項１２】
前記第１の割り当て情報は、前記第１のフィードバック情報が提供された少なくとも１つのクラスタから前記複数のＯＦＤＭＡサブキャリアが選択されることを示すものであることを特徴とする請求項９から１１までのいずれか一項に記載の加入者装置。
【請求項１３】
前記第２の割り当て情報は、前記第２のフィードバック情報が提供された少なくとも１つのクラスタから前記複数のＯＦＤＭＡサブキャリアが選択されることを示すものであることを特徴とする請求項９から１２までのいずれか一項に記載の加入者装置。
【請求項１４】
前記複数のＯＦＤＭＡサブキャリアは、他のクラスタに対して相対的に性能が良好な少なくとも１つのクラスタから選択されることを特徴とすることを特徴とする請求項９から１３までのいずれか一項に記載の加入者装置。
【請求項１５】
前記第４の段階は前記基地局の要求に基づき該基地局が開始するものであることを特徴とする請求項９から１４までのいずれか一項に記載の加入者装置。
【請求項１６】
前記第４の段階は再教育の一部として前記基地局が開始するものであることを特徴とする請求項９から１５までのいずれか一項に記載の加入者装置。
【手続補正２】
【補正対象書類名】明細書
【補正対象項目名】００１０
【補正方法】変更
【補正の内容】
【００１０】
ダウンリンクチャネルに関しては、各加入者は最初に全てのサブキャリアについてチャネルと干渉の情報を測定し、性能の良い（例えば、信号対干渉＋ノイズ比（signal-to-interference plus noise ratio）（ＳＩＮＲ）が高い）複数のサブキャリアを選択して、それら候補サブキャリアに関する情報を基地局にフィードバックする。このフィードバックには、全てのサブキャリアについて又は一部のサブキャリアだけについてのチャネルと干渉の情報（例えば、信号対干渉＋ノイズ比（signal-to-interference-plus-noise-ratio）情報）が含まれる。一部のサブキャリアだけについての情報を提供する場合、加入者は、通常は性能が良好であるか又は他のサブキャリアよりも良好であるとの理由で、使用したいサブキャリアから順番にサブキャリアのリストを提供する。
【手続補正３】
【補正対象書類名】明細書
【補正対象項目名】００５１
【補正方法】変更
【補正の内容】
【００５１】
処理ブロック３０１によるチャネル／干渉評価は、全帯域幅パイロット記号が複数のセル内で同時に同報通信されていることに起因して発生する干渉を監視することにより当該技術では周知である。干渉情報は、処理ブロック３０２に送られ、処理ブロック３０２はその情報を使用して以下の方程式を解く：
ＨiＳi＋Ｉi＋ｎi＝ｙi
ここに、Ｓiはサブキャリア（ｆｒｅｑ．ｂａｎｄ）ｉの信号を表し、Ｉiはサブキャリアｉの干渉であり、ｎiはサブキャリアｉに対応付けられたノイズであり、ｙiはサブキャリアｉの観察である。５１２サブキャリアの場合、ｉは０から５１１の範囲にある。Ｉi及びｎiは、分離されておらず１つの量と考えてもよい。干渉／ノイズ及びチャネルゲインＨiは分かっていない。パイロット期間中に、パイロット記号を表す信号Ｓi及び観察ｙiが分かり、これにより干渉又はノイズがない場合についてのチャネルゲインＨiを求めることができる。一旦これが分かると、Ｈi、Ｓi、及びｙiが全て分かっているので、方程式に当てはめて、データ期間中の干渉／ノイズを求めることができる。
【手続補正４】
【補正対象書類名】明細書
【補正対象項目名】００５７
【補正方法】変更
【補正の内容】
【００５７】
ここに、ＰPはパイロット期間中に測定された各クラスタに対応するパワーであり、Ｐ0はトラフィック期間中に測定されたパワーであり、ＰSは信号パワーであり、ＰIは干渉パワーであり、ＰNはノイズパワーである。
或る実施形態では、加入者は、可能であれば、ＰP／（ＰP−ＰD）が比較的大きい（例えば、１０ｄＢのような閾値よりも大きい）クラスタを選択し、ＰP／（ＰP−ＰD）が比較的小さい（例えば、１０ｄＢのような閾値よりも小さい）クラスタを避ける。
代わりに、差は、以下のような、クラスタ内の各加入者毎に、パイロット期間中に観測されるサンプルとデータトラフィック期間中に観測されるサンプルの間のエネルギー差に基づいていてもよい。
【手続補正５】
【補正対象書類名】明細書
【補正対象項目名】００６０
【補正方法】変更
【補正の内容】
【００６０】
実際の実施形態にもよるが、加入者はクラスタを選択するために、以下の測度、即ちＳＩＮＲとＰP−ＰDの組み合わせ関数を使用する。
β＝ｆ（ＳＩＮＲ，ＰP／（ＰP−ＰD）
ここに、ｆは２つの入力の関数である。ｆの１つの例は、加重平均（例えば、等重量）である。代わりに、加入者は、ＳＩＮＲに基づいてクラスタを選択し、同じようなＳＩＮＲを有するクラスタを判別するのに、パワー差ＰP−ＰDだけを使用してもよい。差は、閾値（例えば、１ｄＢ）よりも小さくてもよい。
【手続補正６】
【補正対象書類名】明細書
【補正対象項目名】００６１
【補正方法】変更
【補正の内容】
【００６１】
ばらつきを小さくして精度を上げるために、ＳＩＮＲとＰP−ＰD両者の測定値を時間について平均してもよい。或る実施形態では、移動平均時間ウインドウを使っており、これは統計的異常を平均するには十分に長く、且つチャネルと干渉の時間変化特性を捉えるには十分に短くなっており、例えば１０ミリ秒である。
【手続補正７】
【補正対象書類名】明細書
【補正対象項目名】００８８
【補正方法】変更
【補正の内容】
【００８８】
図９は、セルＡ−Ｃについてのコヒーレンスクラスタとダイバーシティクラスタの代表的クラスタフォーマットを示す。図９に示すように、セルＡ−Ｃに関し、周波数（サブキャリア）のラベリングは、周波数がコヒーレンスクラスタの一部であるかダイバーシティクラスタの一部であるかを示している。例えば、１−８のラベルが付いた周波数はダイバーシティクラスタであり、９−１６のラベルが付いたクラスタはコヒーレンスクラスタである。例えば、セル内のラベル１が付いた全ての周波数は、或るダイバーシティクラスタの一部であり、セル内のラベル２が付いた全ての周波数は、別のダイバーシティクラスタの一部であるが、一方ラベル９が付いた周波数のグループは１つのコヒーレンスクラスタであり、ラベル１０が付いた周波数のグループは別のコヒーレンスクラスタである、等となっている。ダイバーシティクラスタは、干渉平均化を介してセル間干渉の影響を低減するために、異なるセルに対し異なる構成とすることもできる。
【手続補正８】
【補正対象書類名】明細書
【補正対象項目名】０１００
【補正方法】変更
【補正の内容】
【０１００】
ここに、Ｈiはチャネルを表し、ｉは個々のチャネルを表すインデクスである。
【手続補正９】
【補正対象書類名】図面
【補正対象項目名】図１Ｂ
【補正方法】変更
【補正の内容】
【図１Ｂ】
2015035816.tif 000001